(57)【要約】  【課題】商品受入部43の前後方向のスペースを広くし、商品Ａを取り出しやすくできる自動販売機を提供する。  【解決手段】販売機本体11に扉体12を開閉可能に設け、販売機本体11と扉体12との間に内扉13を開閉可能に設ける。扉体12には、販売機本体11から送り出す商品Ａを受け入れる商品受入部43を設け、商品受入部43から商品Ａを取り出す商品販売口25を設ける。内扉13には、扉体12の商品受入部43内に臨む前面下部に、結露水が表面に沿って流れる角度で下方へ向かうにしたがって販売機本体11側に傾斜する傾斜面52を設ける。内扉13に傾斜面52を設けることで、商品受入部43の前後方向のスペースを広くし、商品Ａを鷲掴みして取り出せる。傾斜面52の傾斜角度を結露水が表面に沿って流れる角度にし、傾斜面52の下端部52aから結露水を結露水受部62に排水させる。  【選択図】図１
2005182534.tif 000002
【特許請求の範囲】
【請求項１】
商品を収納するとともに販売時に商品を送り出す販売機本体と、
この販売機本体に開閉可能に設けられ、販売機本体から送り出される商品を受け入れる商品受入部、およびこの商品受入部から商品を取り出す商品販売口を有する扉体と、
前記販売機本体と扉体との間に開閉可能に配置され、前記販売機本体から扉体の商品受入部へ送り出される商品が通過する商品送出口が設けられた商品送出口枠、その商品送出口内に開閉可能に設けられた商品送出口扉、および前記扉体の商品受入部内に臨む前面下部に結露水が表面に沿って流れる角度で下方へ向かうにしたがって販売機本体側に傾斜する傾斜面を有する内扉と
を具備していることを特徴とする自動販売機。
【請求項２】
内扉の傾斜面の傾斜角度は、結露水が表面に沿って流れる角度としている
ことを特徴とする請求項１記載の自動販売機。
【請求項３】
内扉の傾斜面の傾斜角度は、７０°〜８５°の範囲である
ことを特徴とする請求項１または２記載の自動販売機。
【請求項４】
内扉の下方位置に配置され、商品受入部に突出する先端部が内扉の傾斜面の下端部と上端部との間に位置する結露水受部を具備している
ことを特徴とする請求項１ないし３いずれか記載の自動販売機。
【請求項５】
商品送出口枠の少なくとも下部側が傾斜面に沿って傾斜され、商品送出口枠の商品送出口内に臨む上縁部が内扉の前面側から商品送出口内に向けて結露水が表面に沿って流れる角度で下降する傾斜状に設けられている
ことを特徴とする請求項１ないし４いずれか記載の自動販売機。
【請求項６】
商品受入部は、受け入れた商品をその商品の前後面が扉体の商品販売口の下縁部と内扉とからそれぞれ離反した中間位置に案内する底部を有している
ことを特徴とする請求項１ないし５いずれか記載の自動販売機。
【発明の詳細な説明】
【技術分野】
【０００１】
本発明は、商品を取り出しやすくした自動販売機に関する。
【背景技術】
【０００２】
従来、缶飲料やペットボトル飲料などの商品を販売する自動販売機では、前面を開口した販売機本体およびこの販売機本体の前面に開閉可能に設けられる扉体を有し、さらに、販売機本体内に収納する商品を冷却または加温するので、販売機本体の開口した前面側の断熱のために販売機本体と扉体との間に断熱扉として内扉が開閉可能に設けられている（例えば、特許文献１参照。）。
【０００３】
例えば、図６に示すように、販売機本体１の前面に扉体２が開閉可能に設けられ、これら販売機本体１と扉体２との間に内扉３が開閉可能に設けられている。
【０００４】
扉体２には、商品販売時に販売機本体１から送り出される商品Ａを受け入れる商品受入部４が設けられ、この商品受入部４の前面側上方に購入者が手を入れて商品Ａを取り出す商品販売口５が設けられている。商品受入部４の底部は、受け入れた商品Ａが商品販売口５の下縁部へ向けて寄せて当接させるために傾斜状に設けられている。
【０００５】
内扉３には、販売機本体１から扉体２の商品受入部４へ送り出される商品Ａが通過する商品送出口６を有する商品送出口枠７が設けられ、その商品送出口６内に商品送出口扉８が開閉可能に設けられている。内扉３は上部から下部まで略均一な厚みに形成され、商品送出口枠７の商品送出口６内に臨む上縁部が略水平に形成されている。
【０００６】
内扉３の下方には、販売機本体１内の商品の冷却時に内扉３の前面に結露して流れ落ちてくる結露水を受け入れて排水する結露水受部９が配置されている。この結露水受部９の先端部が、内扉３の前面よりも商品受入部４内に突出されている。
【特許文献１】特開平９−１８５７５７号公報（第２−３頁、図１）
【発明の開示】
【発明が解決しようとする課題】
【０００７】
しかしながら、従来の自動販売機では、商品受入部４の前後方向のスペースが商品販売口５の下縁部と内扉３の前面下部との間で決まるが、この商品受入部４の前後方向のスペースが狭く、例えば３５０ｍｌの缶飲料のように直径の大きい商品Ａの場合にはその商品Ａを鷲掴みして取り出すことは難しく、商品Ａを取り出しにくい問題がある。また、商品受入部４の前後方向のスペースを広くするには、扉体２の厚みを厚くする必要があるが、これでは自動販売機が前後方向に大形化する問題が生じる。
【０００８】
本発明は、このような点に鑑みなされたもので、扉体の厚みを変えることなく、商品受入部の前後方向のスペースを広くし、商品を取り出しやすくできる自動販売機を提供することを目的とする。
【課題を解決するための手段】
【０００９】
請求項１記載の自動販売機は、商品を収納するとともに販売時に商品を送り出す販売機本体と、この販売機本体に開閉可能に設けられ、販売機本体から送り出される商品を受け入れる商品受入部、およびこの商品受入部から商品を取り出す商品販売口を有する扉体と、前記販売機本体と扉体との間に開閉可能に配置され、前記販売機本体から扉体の商品受入部へ送り出される商品が通過する商品送出口が設けられた商品送出口枠、その商品送出口内に開閉可能に設けられた商品送出口扉、および前記扉体の商品受入部内に臨む前面下部に結露水が表面に沿って流れる角度で下方へ向かうにしたがって販売機本体側に傾斜する傾斜面を有する内扉とを具備しているものである。
【００１０】
そして、この構成では、扉体の商品受入部内に臨む内扉の前面下部に、下方へ向かうにしたがって販売機本体側に傾斜する傾斜面を設けたので、扉体の厚みを変えることなく、商品受入部の前後方向のスペースを広くでき、例えば商品を鷲掴みして取り出せるなど、商品が取り出しやすくなる。
【００１１】
請求項２記載の自動販売機は、請求項１記載の自動販売機において、内扉の傾斜面の傾斜角度は、結露水が表面に沿って流れる角度としているものである。
【００１２】
そして、この構成では、傾斜面の傾斜角度を結露水が表面に沿って流れる角度にしたので、傾斜面の上端部から結露水が商品受入部内に滴下するようなことがなく、傾斜面の下端部からの結露水の排水処理が可能になる。
【００１３】
請求項３記載の自動販売機は、請求項１または２記載の自動販売機において、内扉の傾斜面の傾斜角度は、７０°〜８５°の範囲であるものである。
【００１４】
そして、この構成では、内扉の傾斜面の傾斜角度を７０°〜８５°の範囲としたので、商品受入部の前後方向のスペースの確保と傾斜面の上端部からの結露水の滴下防止とを両立可能な適切な傾斜角度が規定される。
【００１５】
請求項４記載の自動販売機は、請求項１ないし３いずれか記載の自動販売機において、内扉の下方位置に配置され、商品受入部に突出する先端部が内扉の傾斜面の下端部と上端部との間に位置する結露水受部を具備しているものである。
【００１６】
そして、この構成では、内扉の下方位置に結露水受部を配置し、この結露水受部の商品受入部に突出する先端部を内扉の傾斜面の下端部と上端部との間に位置するので、傾斜面の下端部から滴下する結露水を結露水受部に確実に受け入れて排水可能になるとともに、結露水受部の先端が商品受入部内に突出する突出量が少なく、商品の取り出しに対する結露水受部の影響が少なくなる。
【００１７】
請求項５記載の自動販売機は、請求項１ないし４いずれか記載の自動販売機において、商品送出口枠の少なくとも下部側が傾斜面に沿って傾斜され、商品送出口枠の商品送出口内に臨む上縁部が内扉の前面側から商品送出口内に向けて結露水が表面に沿って流れる角度で下降する傾斜状に設けられているものである。
【００１８】
そして、この構成では、商品送出口枠の商品送出口内に臨む上縁部を内扉の前面側から商品送出口内に向けて結露水が表面に沿って流れる角度で下降する傾斜状に設けたので、内扉の前面上部側から商品送出口枠の上縁部に流れる結露水が商品送出口内に導かれ、商品送出口枠の少なくとも下部側が傾斜面に沿って傾斜していても、商品送出口枠の上縁部から商品受入部内に結露水が滴下するのが防止される。
【００１９】
請求項６記載の自動販売機は、請求項１ないし５いずれか自動販売機において、商品受入部は、受け入れた商品をその商品の前後面が扉体の商品販売口の下縁部と内扉とからそれぞれ離反した中間位置に案内する底部を有しているものである。
【００２０】
そして、この構成では、商品受入部の底部により、受け入れた商品をその商品の前後面が扉体の商品販売口の下縁部と内扉とからそれぞれ離反した中間位置に案内するので、商品の前後に指を入れてその商品を鷲掴みすることが可能で、商品が取り出しやすくなる。
【発明の効果】
【００２１】
請求項１記載の自動販売機によれば、扉体の商品受入部内に臨む内扉の前面下部に、下方へ向かうにしたがって販売機本体側に傾斜する傾斜面を設けたので、扉体の厚みを変えることなく、商品受入部の前後方向のスペースを広くでき、例えば商品を鷲掴みして取り出せるなど、商品を取り出しやすくできる。
【００２２】
請求項２記載の自動販売機によれば、請求項１記載の自動販売機の効果に加えて、傾斜面の傾斜角度を結露水が表面に沿って流れる角度にしたので、傾斜面の上端部から結露水が商品受入部内に滴下するようなことがなく、傾斜面の下端部からの結露水の排水処理を可能にできる。
【００２３】
請求項３記載の自動販売機によれば、請求項１または２記載の自動販売機の効果に加えて、内扉の傾斜面の傾斜角度を７０°〜８５°の範囲としたので、商品受入部の前後方向のスペースの確保と傾斜面の上端部からの結露水の滴下防止とを両立できる適切な傾斜角度を規定できる。
【００２４】
請求項４記載の自動販売機によれば、請求項１ないし３いずれか記載の自動販売機の効果に加えて、内扉の下方位置に結露水受部を配置し、この結露水受部の商品受入部に突出する先端部を内扉の傾斜面の下端部と上端部との間に位置するので、傾斜面の下端部から滴下する結露水を結露水受部に確実に受け入れて排水できるとともに、結露水受部の先端が商品受入部内に突出する突出量を少なくでき、商品の取り出しに対する結露水受部の影響を少なくできる。
【００２５】
請求項５記載の自動販売機によれば、請求項１ないし４いずれか記載の自動販売機の効果に加えて、商品送出口枠の商品送出口内に臨む上縁部を内扉の前面側から商品送出口内に向けて結露水が表面に沿って流れる角度で下降する傾斜状に設けたので、内扉の前面上部側から商品送出口枠の上縁部に流れる結露水を商品送出口内に導き、商品送出口枠の少なくとも下部側が傾斜面に沿って傾斜していても、商品送出口枠の上縁部から商品受入部内に結露水が滴下するのを防止できる。
【００２６】
請求項６記載の自動販売機によれば、請求項１ないし５いずれか記載の自動販売機の効果に加えて、商品受入部の底部により、受け入れた商品をその商品の前後面が扉体の商品販売口の下縁部と内扉とからそれぞれ離反した中間位置に案内するので、商品の前後に指を入れてその商品を鷲掴みすることができ、商品を取り出しやすくできる。
【発明を実施するための最良の形態】
【００２７】
以下、本発明の一実施の形態を図１ないし図５を参照して説明する。
【００２８】
図３ないし図６において、缶飲料やペットボトル飲料などの商品を販売する自動販売機は、前面を開口した販売機本体11、およびこの販売機本体11の前面に図示しない上下のヒンジを介して開閉可能に設けられる扉体12を有し、さらに、販売機本体11と扉体12との間に配置されて販売機本体11の前面を断熱する断熱材が組み込まれた断熱扉として内扉13およびローディング扉14をそれぞれ有している。内扉13は販売機本体11に開閉可能に設けられ、ローディング扉14は扉体12に開閉可能に設けられている。
【００２９】
扉体12の前面上部側には、複数の商品見本17を上下方向に複数段に展示する展示部18が設けられ、各商品見本17毎に対応して商品を選択する選択ボタン19が設けられている。扉体12の前面中段部には、扉体12を開放する鍵付のハンドル20、硬貨を投入する硬貨投入口21、紙幣を投入する紙幣投入口22、投入貨幣の返却時に操作する返却レバー23がそれぞれ設けられているとともに、投入金額、釣銭切れ、紙幣使用中止などを表示する表示器24が設けられている。扉体12の前面下部側には、販売された商品を取り出す商品販売口25、返却硬貨または釣銭が払い出される硬貨返却口26が設けられている。
【００３０】
販売機本体11は、前面を開口するとともに箱形で、各壁面に断熱材が組み込まれており、内部には複数の仕切断熱パネル29によって販売機本体11の左右方向（幅方向）に複数の収納室30が仕切られて形成され、これら各収納室30には複数の商品を種類別に収納する複数のコラム31が前後方向に複数列に配設されているとともに、左右の収納室30には販売機本体11の左右方向にも複数のコラム31が複数列に配設されている。これら各コラム31の下部には商品を１つずつ排出する商品排出装置32が配設され、各コラム31の上部に各コラム31に収納させる商品を投入する商品投入口33が形成されている。各収納室30の下部には各コラム31から下方へ排出された商品を前方の商品販売口25へ向けて送り出すシュート34が配設されている。販売機本体11の下部には、各収納室30を冷却する冷媒ユニット35や加温するヒータなどが設置されている。
【００３１】
内扉13には、各収納室30から各シュート34によって商品販売口25へ向けて送り出される商品が通過する複数の商品送出口38が形成されている。
【００３２】
また、図１に示すように、扉体12の商品販売口25の前面側には商品販売口25を開閉する商品販売口扉41が上部を支点として前方へ向けて回動可能に取り付けられているとともに、扉体12の商品販売口25の商品販売口扉41より内側には通常の商品Ａの取出操作を許容しかつ商品販売口25からコラム31側に手が差し込まれるのを規制する防盗フラッパ42が上部を支点として揺動可能に取り付けられている。
【００３３】
商品販売口25内の下側には販売機本体11側から送り出される商品Ａを受け入れる商品受入部43が形成されている。この商品受入部43は、商品販売口25の下縁部44と内扉13の前面下部との間で前後方向のスペースが形成されている。
【００３４】
商品受入部43の底部45は、例えば円筒状の商品Ａをその商品Ａの前後面が扉体12の商品販売口25の下縁部44と内扉13とからそれぞれ離反した中間位置に案内するように構成されている。すなわち、底部45は、下縁部44から後方の販売機本体11へ向けて下降傾斜する傾斜板部46とこの傾斜板部46から後方の販売機本体11へ向けて上昇傾斜する傾斜板部47とを有する断面略Ｖ字形に形成され、これら傾斜板部46，47によって商品Ａをその商品Ａの前後面が扉体12の商品販売口25の下縁部44と内扉13とからそれぞれ離反した中間位置に案内する。前側の傾斜板部46の内面には、販売機本体11から送り出されてくる商品Ａの落下衝撃を緩衝する緩衝材48が取り付けられている。
【００３５】
また、図１および図２に示すように、内扉13の商品受入部43に臨む前面下部を除いた上部域の前面部51は販売機本体11および扉体12に略平行な略鉛直に形成され、内扉13の商品受入部43に臨む前面下部には下方へ向かうにしたがって販売機本体11側に傾斜する傾斜面52が形成されている。
【００３６】
この傾斜面52の水平面に対する傾斜角度αは、内扉13の前面に結露した結露水が傾斜面52の表面に沿って流れ落ちるのが好ましく、実験によれば、約７０°までは結露水が傾斜面52の表面に沿って流れ落ちることが確認され、約７０°より小さい場合には傾斜面52の表面の状態にもよるが傾斜面52の上端部からの結露水の滴下が確認された。また、商品Ａを鷲掴みして取り出せることが好ましく、実験によれば、約８５°まで傾斜させれば、既存の自動販売機でも商品Ａを鷲掴みできることが確認できた。したがって、傾斜面52の傾斜角度αは、７０°〜８５°の範囲が好ましく、より好ましくは商品Ａをより取り出しやすくできる７０°〜８０°の範囲がよい。なお、傾斜面52の表面に親水性の処理を施せば、傾斜面52の水平面に対する傾斜角度αをより小さくしても結露水の滴下を防止できる。
【００３７】
内扉13には、各商品送出口38を形成する商品送出口枠53が取り付けられている。商品送出口枠53は、商品送出口38内に入り込む四角形枠状の枠部54、およびこの枠部54の前端周縁から突設されて内扉13の前面に係合するフランジ部55を有し、下部側が傾斜面52に沿って傾斜されている。商品送出口枠53の商品送出口38内に臨む上縁部には、内扉13の前面側から商品送出口38内に向けて結露水が表面に沿って流れる角度で下降する傾斜状の上枠面56が形成され、また、商品送出口枠53の商品送出口38内に臨む下縁部には、商品Ａを商品受部43に導くとともに傾斜面52の下端へ向けて結露水を導くように前方の扉体12側へ向けて下降する傾斜状の下枠面57が形成されている。この下枠面57の後端部は内扉13の後面より後方に突出されている。
【００３８】
商品送出口38内にはこの商品送出口38を開閉する商品送出口扉58が上部の支軸59を支点として回動可能に支持されている。この商品送出口扉58は前方へ向けて断面略凸円弧状に形成され、自重で垂下した状態で商品送出口38を閉鎖し、その閉鎖時の下端部が商品送出口38内に位置するように構成されている。商品送出口扉58の断面略凸円弧の曲率は、結露水が商品送出口扉58の表面に沿って流れ落ちるように構成されている。
【００３９】
また、図１に示すように、販売機本体11には、閉鎖時の内扉13の下方に位置して、内扉13の傾斜面52の下端部52aから滴下する結露水を受け入れて排水する結露水受部62が取り付けられている。この結露水受部62の先端部62aは商品受入部43に向けて斜め上方へ突出され、その先端部62aの位置は内扉13の傾斜面52の下端部52aと上端部52bとの間に位置されている。
【００４０】
次に、本実施の形態の作用を説明する。
【００４１】
商品販売時には、１つのコラム31から１つの商品Ａが排出され、この商品Ａが、シュート34によって前方へ導かれ、内扉13の商品送出口扉58に当接してその商品送出口扉58を前方へ押し開きながら商品送出口38を通過し、さらに商品送出口扉58で前方へ押し開くことで防盗フラッパ42を前方へ揺動させながら商品送出口扉58の下側を通過し、扉体12の商品受入部43に受け入れられる。
【００４２】
商品受入部43に受け入れた商品Ａは、商品受入部43の底部45によって、その商品Ａの前後面が扉体12の商品販売口25の下縁部44と内扉13とからそれぞれ離反した中間位置に案内して保持する。
【００４３】
そして、購入者は商品販売口扉41を前方へ開きながら手を商品販売口25に差し込み、防盗フラッパ42を後方へ押し込み、商品受入部43の商品Ａを掴んで取り出す。
【００４４】
このとき、商品受入部43内に臨む内扉13の前面下部に、下方へ向かうにしたがって販売機本体11側に傾斜する傾斜面52が設けられているので、扉体12の厚みを変えることなく、商品受入部43の前後方向のスペースを広くでき、商品Ａを鷲掴みして取り出せるなど、商品Ａを容易に取り出すことができる。
【００４５】
しかも、結露水受部62の商品受入部43に突出する先端部62aが内扉13の傾斜面52の下端部52aと上端部52bとの間に位置するので、結露水受部62の先端部62aが商品受入部43内に突出する突出量を少なくでき、商品Ａの取り出しに対する結露水受部62の影響を少なくできる。
【００４６】
さらに、内扉13の下端部62aと商品販売口25の下縁とを略水平位置に配置しているため、内扉13によって商品受入部43の前後方向のスペースに与える影響を少なくし、商品受入部43の前後方向のスペースを広くでき、商品Ａを鷲掴みして取り出すことができる。
【００４７】
さらに、商品受入部43の底部45により、受け入れた商品Ａをその商品Ａの前後面が扉体13の商品販売口25の下縁部44と内扉13とからそれぞれ離反した中間位置に案内するので、商品Ａの前後に指を入れてその商品Ａを鷲掴みしやすくできる。
【００４８】
また、収納室30を冷却した場合に、図２に示すように、内扉13の前面部51に結露が発生し、この結露水が内扉13の前面部51を伝わって流れ落ちる。
【００４９】
このとき、商品送出口38から外れた位置では、内扉13の前面部51を伝わって流れ落ちる結露水（図２の矢印ａ）が傾斜面52に達してこの傾斜面52に沿って流れ落ち、傾斜面52の下端部52aから水滴となって滴下され、この水滴を結露水受部62に受け止めて排水する。
【００５０】
商品送出口38の位置では、内扉13の前面部51を伝わって流れ落ちる結露水（図２の矢印ｂ）が、商品送出口枠53のフランジ部55の前面側に回り込むとともに上枠面56に沿って流れ落ちて商品送出口38の内方に導かれ、商品送出口扉58の凸円弧状の前面側に沿って流れ落ち、商品送出口扉58の下端部52aから商品送出口枠53の下枠面57に流れ落ち、さらに、傾斜面52の下端部52aから水滴となって滴下され、この水滴を結露水受部62に受け止めて排水する。
【００５１】
このように、内扉13の傾斜面52の傾斜角度を結露水が表面に沿って流れる角度にしたので、傾斜面52の上端部52bから結露水が商品受入部43内に滴下するようなことがなく、傾斜面52の下端部52aからの結露水の排水処理を可能にできる。
【００５２】
しかも、結露水受部62の商品受入部43に突出する先端部62が内扉13の傾斜面52の下端部52aと上端部52bとの間に位置するので、結露水受部62の先端部62aが商品受入部43内に突出する突出量を少なくしたうえで、傾斜面52の下端部52aから滴下する結露水を結露水受部62に確実に受け入れて排水できる。
【００５３】
さらに、商品送出口枠53の商品送出口38内に臨む上縁部を内扉13の前面側から商品送出口38内に向けて結露水が表面に沿って流れる角度で下降する傾斜状に設けたので、内扉13の前面部51から商品送出口枠53の上縁部に流れる結露水を商品送出口38内に導くことができ、商品送出口枠53の下部側が傾斜面52に沿って傾斜していても、商品送出口枠53の上縁部から商品受入部43内に結露水が滴下するのを防止できる。
【００５４】
そして、内扉13の傾斜面52の傾斜角度αを７０°〜８５°の範囲、より好ましくは７０°〜８０°の範囲とすることにより、商品受入部43の前後方向のスペースの確保と傾斜面52の上端部52bからの結露水の滴下防止とを両立できる適切な傾斜角度を規定できる。
【図面の簡単な説明】
【００５５】
【図１】本発明の一実施の形態を示す自動販売機の商品販売口付近の断面図である。
【図２】同上自動販売機の内扉の斜視図である。
【図３】同上自動販売機の正面図である。
【図４】同上自動販売機の扉体を開けた状態の正面図である。
【図５】同上自動販売機の扉体および内扉を外した状態の販売機本体の正面図である。
【図６】従来の自動販売機の商品販売口付近の断面図である。
【符号の説明】
【００５６】
11    販売機本体
12    扉体
13    内扉
25    商品販売口
38    商品送出口
43    商品受入部
45    底部
52    傾斜面
53    商品送出口枠
58    商品送出口扉
62    結露水受部
Ａ    商品
【図１】
2005182534.tif 000003
【図２】
2005182534.tif 000004
【図３】
2005182534.tif 000005
【図４】
2005182534.tif 000006
【図５】
2005182534.tif 000007
【図６】
2005182534.tif 000008